(57)【要約】      （修正有）【課題】新たな種類のカメラバッグであって、ユーザがカメラをバッグから取り出すことなく任意の時点で撮影することを可能にし、同時に、撮影中にカメラを保護し、カメラを雨、雪、及び砂嵐の損傷から防ぐことができる。【解決手段】カメラバッグは、支持フレーム２の前面パネルにカメラ３のレンズの正面を固定する固定手段を備える。カバー片を有する窓がシェル１の正面に設けられ、これは支持フレーム２の前面パネルのレンズ孔に対応する。カバー片を有する窓が、カメラＬＣＤ画面を見るためにシェル１の後面に設けられる。カバー片を有する窓が、カメラ３の垂直なビューファインダを見るとともにカメラの右上の角にあるボタンを操作するためにシェルの上部に設けられる。本発明はユーザがカメラをバッグから取り出すことなく任意の時点で撮影することを可能にし、同時に、撮影中にカメラを保護し、カメラを雨、雪、及び砂嵐の損傷から防ぐことができる。【選択図】図１
2015180274.tif 000002
【特許請求の範囲】
【請求項１】
カメラバッグであって、カメラを固定する支持フレーム、前記カメラ及び前記支持フレームを収容するシェルを備え、前記支持フレームは、レンズ孔を有する前面パネル、及び、前記カメラを固定するのに用いられる支持プレートを含み、前記前面パネルは、コネクタによって前記支持プレートに着脱可能に接続され、前記前面パネルは前記支持プレートに対して回転することができ；該カメラバッグは、前記支持フレームの前記前面パネルに前記カメラのレンズの正面を固定する固定手段を更に備え、カバー片を有する第１の窓が前記シェルの正面に設けられ、該第１の窓は前記支持フレームの前記前面パネルの前記レンズ孔に対応し、カバー片を有する第２の窓が、カメラＬＣＤ画面を見るために前記シェルの後面に設けられ、カバー片を有する第３の窓が、前記カメラの垂直なビューファインダを見るとともに前記カメラの右上の角にあるボタンを操作するために前記シェルの上部に設けられる、カメラバッグ。
【請求項２】
前記カメラを固定するために少なくとも１つのスロットが前記支持プレートに設けられ、該スロットの一端は締結ねじを挿入することを可能にする入口として配置される、請求項１に記載のカメラバッグ。
【請求項３】
前記カメラを固定するために２つのスロットが前記支持プレートにある、請求項２に記載のカメラバッグ。
【請求項４】
前記カメラのレンズの正面を固定する前記固定手段は、それぞれが円形のリングの形状である第１の構成要素、第２の構成要素及び第３の構成要素を含み、前記第１の構成要素及び前記第２の構成要素は、前記支持フレームの前記前面パネルの前記レンズ孔の外側及び内側に取り付けられ、前記固定手段を前記支持フレームに固定し、前記第３の構成要素の一端が、スナップ接続によって前記第２の構成要素に接続され、他端はねじ接続によって前記カメラのレンズの正面に接続される、請求項１に記載のカメラバッグ。
【請求項５】
前記第１の構成要素の外側には、ねじ接続によってＵＶフィルタが接続される、請求項４に記載のカメラバッグ。
【請求項６】
カバー片を有する第４の窓が、カメラのシャッタレリーズプラグインタフェースに対応して前記シェルの第１の位置に設けられる、請求項１に記載のカメラバッグ。
【請求項７】
カバー片を有する第５の窓が、前記カメラのシャッタレリーズプラグインタフェースの他方の側に対応して前記シェルの第２の位置に設けられ、ユーザが指を前記第５の窓に入れて前記カメラのレンズのズームリングを操作することを可能にする、請求項１に記載のカメラバッグ。
【請求項８】
前記支持フレームの前記前プレートは、フレームによって構成される後退可能なフレーム、前記カメラのレンズを固定するパネル及び接続手段を含む後退可能なレンズ固定フレームとして設定され、前記接続手段は、前記フレームを前記パネルに接続し、圧潰可能な材料によって作られる、請求項１に記載のカメラバッグ。
【請求項９】
前記支持フレームの前記支持プレートの下にキャビティが設けられ、カバー片を有する第６の窓が、前記キャビティに対応して前記カメラバッグの後面に設けられる、請求項１に記載のカメラバッグ。
【請求項１０】
カメラバッグであって、カメラを収容するシェル、カメラのレンズの正面を前記シェルに固定する固定手段を備え、カバー片を有するレンズ孔が前記シェルの正面に設けられ、前記シェルの底部には、前記カメラを固定する支持プレートが設けられ、該支持プレートには少なくとも１つのスロットが設けられ、該スロットの一端が、締結ねじを挿入することを可能にする入口として配置され、カバー片を有する第７の窓が、カメラＬＣＤ画面を見るために前記シェルの後面に設けられ、カバー片を有する第８の窓が、前記カメラの垂直なビューファインダを見るとともに前記カメラの右上の角にあるボタンを操作するために前記シェルの上部に設けられる、カメラバッグ。
【請求項１１】
前記支持プレートには２つの平行なスロットがある、請求項１０に記載のカメラバッグ。
【請求項１２】
前記支持プレート及び前記シェルは１つに成形される、請求項１０に記載のカメラバッグ。
【請求項１３】
前記支持プレートは、前記シェルの底部の内面に分離された部分として設定され、前記シェルの前記底部には、前記支持プレートの前記スロットに対応するスロットが設けられる、請求項１０に記載のカメラバッグ。
【発明の詳細な説明】
【技術分野】
【０００１】
本発明はバッグに関し、具体的にはカメラバッグに関し、より具体的には、カメラを収納するとともにカメラと組み合わせられるのに用いられるバッグに関する。
【背景技術】
【０００２】
現在、市場の一般的なカメラバッグは主に、カメラの収納に用いられる。撮影するためにカメラを使用する必要がある場合、最初にカメラをカメラバッグから取り出す必要があるため、多くの場合に素晴らしい瞬間を逃してしまう。また、カメラをバッグから取り出した後で、撮影中にはカメラはカメラバッグによって保護されない。
【発明の概要】
【発明が解決しようとする課題】
【０００３】
本発明の目的は、新たな種類のカメラバッグであって、ユーザがカメラをバッグから取り出すことなく任意の時点で撮影することを可能にし、同時に、撮影中にカメラを保護し、カメラを雨、雪、及び砂嵐の損傷から防ぐことができる、新たな種類のカメラバッグを提供することである。他方で、このカメラバッグは、撮影中のシャッタ音を下げることができ、これは、撮影対象の気をそらすことを防止する。したがって、このカメラバッグは、コンサート、博物館、会議室及び他の場所等の、撮影するのに静かにする必要がある場所に特に好適である。このカメラバッグは、撮影するのにカメラをバッグ内に隠すことができるため、旅行での使用に非常に好適である。また、このカメラバッグは、ユーザが片手のみで操作することを可能にする。したがって、このカメラバッグは、カメラが奪われることを防ぎ、安全性及び撮影の簡便性を改善する。
【課題を解決するための手段】
【０００４】
したがって、一実施形態では、本発明は、カメラを固定する支持フレーム、並びに、カメラ及び支持フレームを収容するシェルを含む。支持フレームは：レンズ孔を有する前面パネル、及び、カメラを固定するのに用いられる支持プレートを含む。前面パネルは、コネクタによって支持プレートに着脱可能に接続され、前面パネルは支持プレートに対して回転することができる。カメラバッグは、支持フレームの前面パネルにカメラのレンズの正面を固定する固定手段を更に備える。カバー片を有する第１の窓がシェルの正面に設けられ、これは支持フレームの前面パネルのレンズ孔に対応する。カバー片を有する第２の窓が、カメラＬＣＤ画面を見るためにシェルの後面に設けられる。カバー片を有する第３の窓が、カメラの垂直なビューファインダを見るとともにカメラの右上の角にあるボタンを操作するためにシェルの上部に設けられる。
【０００５】
カメラを固定するために少なくとも１つのスロットが支持プレートに設けられ、スロットの一端は締結ねじを挿入することを可能にする入口として配置される。好ましい実施形態として、カメラを固定するために２つのスロットが支持プレートに設けられる。
【０００６】
カメラのレンズの正面を固定する固定手段は、それぞれが円形のリングの形状である第１の構成要素、第２の構成要素及び第３の構成要素を含む。特に、第１の構成要素及び第２の構成要素は、支持フレームの前面パネルのレンズ孔の外側及び内側に取り付けられ、固定手段を支持フレームに固定する。第３の構成要素の一端が、スナップ接続によって第２の構成要素に接続され、他端はねじ接続によってカメラのレンズの正面に接続される。
【０００７】
好ましい実施形態として、第１の構成要素の外側には、ねじ接続によってＵＶフィルタが接続される。
【０００８】
好ましい実施形態として、カバー片を有する第４の窓が、カメラのシャッタレリーズプラグインタフェースに対応するシェルの第１の位置に設けられる。
【０００９】
好ましい実施形態として、カバー片を有する第５の窓が、カメラのシャッタレリーズプラグインタフェースの他方の側に対応するシェルの第２の位置に設けられ、ユーザが指を第５の窓に入れてカメラのレンズのズームリングを操作することを可能にする。
【００１０】
好ましい実施形態として、支持フレームの前プレートは、フレームによって構成される後退可能なフレーム、カメラのレンズを固定するパネル及び接続手段を含む後退可能なレンズ固定フレームとして設定される。接続手段は、フレームをパネルに接続し、圧潰可能な材料によって作られる。
【００１１】
好ましい実施形態として、支持フレームの支持プレートの下に、写真用の機器の部品を収納するキャビティが設けられる。カバー片を有する窓が、キャビティに対応してカメラバッグの後面に設けられる。
【００１２】
別の実施形態では、本発明のカメラバッグは、カメラを収容するシェル、カメラのレンズの正面をシェルに固定する固定手段を備える。カバー片を有するレンズ孔がシェルの正面に設けられる。シェルの底部には、カメラを固定する少なくとも１つのスロットが設けられる。スロットの一端が、締結ねじを挿入することを可能にする入口として配置される。カバー片を有する窓が、カメラＬＣＤ画面を見るためにシェルの後面に設けられる。カバー片を有する窓が、カメラの垂直なビューファインダを見るとともに、カメラの右上の角にあるボタンを操作するためにシェルの上部に設けられる。
【図面の簡単な説明】
【００１３】
【図１】本発明の一実施形態における支持フレームをカメラとともに示す概略図である。
【図２】図１に示されているような支持フレームの正面のカメラレンズ固定手段の正面斜視図である。
【図３】図１に示されているような支持フレームの正面のカメラレンズ固定手段の後面斜視図である。
【図４】カメラレンズ固定手段の分解図である。
【図５】図４に示されているようなカメラレンズ固定手段の別の視点からの分解図である。
【図６】前壁に取り付けられる、図４に示されているようなカメラレンズ固定手段の断面図である。
【図７】図６に示されているような部分Ａの拡大図である。
【図８】固定手段の前壁にカメラのレンズを設置するところの概略図である。
【図９】前壁に固定されているカメラが支持フレームの底壁に取り付けられるところの概略図である。
【図１０】カメラに固定されている前壁を支持フレームに接続するところの概略図である。
【図１１】支持フレームの底壁に固定されようとしているカメラの概略図である。
【図１２】支持フレームの底部に固定されているカメラの概略図である。
【図１３】カメラレンズ固定手段が備え付けられている別の後退した前壁の概略図である。
【図１４】シェルの全ての開口部がカバー片によって覆われている、カメラバッグのシェルの上面図である。
【図１５】シェルの全ての開口部がカバー片によって覆われている、カメラバッグのシェルの側面図である。
【図１６】シェルの全ての開口部がカバー片によって覆われている、カメラバッグのシェルの正面図である。
【図１７】シェルの全ての開口部がカバー片によって覆われている、カメラバッグのシェルの後面図である。
【図１８】シェルの開口しているカバー片の開口方向及び締結状態を示す図である。
【図１９】シェルの開口しているカバー片の開口方向及び締結状態を示す図である。
【図２０】シェルの開口しているカバー片の開口方向及び締結状態を示す図である。
【図２１】異なる視点からの、ストラップを有するカメラバッグの概略図である。
【図２２】異なる視点からの、ストラップを有するカメラバッグの概略図である。
【図２３】カメラバッグを持つユーザの概略図である。
【図２４】カメラバッグを持つユーザの概略図である。
【図２５】本発明の別の実施形態の側面図である。
【図２６】図２５に示されているようなカメラバッグの正面図である。
【図２７】図２５に示されているようなカメラバッグの上面図である。
【発明を実施するための形態】
【００１４】
本発明の実施態様において、カメラバッグは、カメラを固定するのに用いられる支持フレーム２及びシェル１を備える。
【００１５】
図１は、カメラ３が設置された支持フレーム２の概略的な構造を示している。支持フレーム２は、上側部分及び下側部分によって構成されるフレーム構造である。上側部分２２は、前壁２２ａ、後壁２２ｂ、第１の側壁２２ｃ、第１の側壁２２ｃに対向する第２の側壁２２ｄ、及び底壁２２ｅを有する。
【００１６】
図２〜図５を参照すると、支持フレーム２の上側部分の前壁２２ａは、レンズ孔２２０を有する前面パネルによって構成され、固定手段５がレンズ孔２２０に設置されている。固定手段５は、カメラ３のレンズを固定するのに用いられ、それぞれが円形のリングの形状である第１の構成要素５１、第２の構成要素５２及び第３の構成要素５３を含む。
【００１７】
第１の構成要素５１の一端のその環状端の縁の周りには、径方向に対して外方に垂直なフランジが設けられる。フランジの内面には、雌ねじ（図示せず）が設けられる。リムを有するＵＶフィルタ６が、第１の構成要素５１にＵＶフィルタ６を固定するように、ＵＶフィルタ６のリムの外面に設けられる雄ねじによって第１の構成要素５１のフランジの内面にある雌ねじに係合する。構成要素５１の他端には、その中央の穴の縁に沿って凸状の首部５１２が設けられ、凸状の首部５１２は外方に突出するとともに径方向に対して垂直である。凸状の首部５１２の外面には、雄ねじ（図示せず）が設けられ、凸状の首部５１２の外径は、凸状の首部がレンズ孔２２０を自由に通ることができるように、レンズ孔２２０の直径よりも僅かに小さい。
【００１８】
第２の構成要素５２の一端の内面には、レンズ孔２２０を通った第１の構成要素５１の凸状の首部５１２を、ねじ山によって第２の構成要素５２と一緒に締結するように、第１の構成要素５１の凸状の首部５１２にある雄ねじに係合する雌ねじ（図示せず）が設けられ、一方で、前面パネルが第１の構成要素５１と第２の構成要素５２との間に挟持される。さらに、構成要素５２の他端には、その中央の穴の縁に沿って凸状の首部５２２が設けられ、凸状の首部５２２は外方に突出するとともに径方向に対して垂直である。凸状の首部５２２の外面は滑らかな表面である。凸状の首部５２２の一端の端壁の周方向に環状スロット５２４が設けられる。
【００１９】
構成要素５３の一端には、その中央の穴の縁に沿ってリム５３２が設けられ、リム５３２は外方に突出するとともに径方向に対して垂直である。リムの内径は、第２の構成要素５２の凸状の首部５２２の外径よりも僅かに大きい。凸状の首部５３２の外面には、カメラのレンズの正面に設けられる雌ねじに係合する雄ねじが設けられるため、カメラのレンズは支持フレームの前面パネルに取り付けられる。第３の構成要素５３の内面は滑らかである。第２の構成要素５２の環状スロット５２４に係合する円形フランジ５３４が第３の構成要素５３の他端に設けられる。円形フランジ５３４の前端（すなわち自由端）には、フック形状の断面を有する突起が設けられ、フック形状の突起は環状スロットと組み合わせられ、バックル構造を形成し、この場合、フック形状の突起及び環状スロットが９０度の角度で接続される。そのようなバックル構造は、第２の構成要素及び第３の構成要素を、係合した後では取り外しできないようにするが、それらの間の比較的自由な回転は可能にする。
【００２０】
第２の構成要素５２及び第３の構成要素５３が係合した後、第３の構成要素のリム５３２の滑らかな内面に近い第２の構成要素の凸状の首部５２２の滑らかな外面、並びに、第２の構成要素及び第３の構成要素の対応する表面同士が互いに接触する。上記のバックル構造に起因して、第３の構成要素５３は、図８に示されているように、カメラのレンズとともに回転し、第２の構成要素５２に対して自由に回転することができる。
【００２１】
固定手段５の構造によって、カメラのレンズの前端を、支持フレームの前面パネルにしっかりと固定することができる。ユーザは、ＵＶフィルタをこのレンズ固定手段に自由に設置するか、又は、前面パネルに密接して一体化されるレンズ固定手段に影響を与えることなくＵＶフィルタを取り外すことができ、これは日常使用に非常に便利である。
【００２２】
代替的には、第１の構成要素５１と第２の構成要素５２との間のねじ接続部の代わりに、リベット固定方法を用いることができる。例えば、４個〜５個のリベットを、第１の構成要素の平面にある穴（図示せず）、支持フレームの前面パネルにある貫通穴２２０、及び、第２の構成要素の平面にある穴（図示せず）に順次通し、次に固定することで、第１の構成要素及び第２の構成要素を、支持フレームの前面パネルをそれらの間にきつく挟持しながら、一緒に固定する。そのような締結方法は、ねじ接続部の緩みに起因して構成要素が緩むことを防止することができる。
【００２３】
図８〜図１２から見て、支持フレームの上側部分の前面パネルは可動プレートである。支持フレームの底壁２２ｅは支持プレートによって構成される。前面パネルは、前面パネルが支持プレートに対して回転することを可能にする着脱可能な接続部によって支持プレートに接続される。そのような着脱可能な接続部は、例えば（限定されないが）、前面パネル及び支持フレームのそれぞれに設けられる少なくとも１つのボルト穴、ボルト並びにボルト締結具を含むボルト構造のような、一般的なボルト構造によって実現することができる。この実施形態では、前面パネル２２ａの底部側には、２つの位置合わせされて離間したボルト穴２２１が備え付けられており；支持プレート２２ｅの前側には、３つの位置合わせされて離間したボルト穴２２２が備え付けられている。支持プレートのボルト穴２２２及び前面パネルのボルト穴２２１は、互い違いに互いに隣接して配置され、それによって、全てのボルト穴は一列に配置され、前面パネル及び支持プレートが一緒に接続されるとボルト２２３を挿入して通すことを可能にするチャネルを形成する。ボルト２２３の一端は限定端であり、全てのボルト穴に挿入されて外側に露出する他端は固定部材２２４によって締結される。
【００２４】
当然ながら、任意の他の好適な着脱可能な接続構造も用いることができる。
【００２５】
支持フレーム２の上側部分２２の支持プレート２２ｅは、カメラを支持するのに用いられる。支持プレート２２ｅには少なくとも１つのスロット２２５が設けられる。バースロットの一端は、締結ねじを挿入することを可能にする入口２２５ａとして配置される。
【００２６】
代替的には、２つ以上の平行なスロットを支持プレートに設けることができ、その目的は：カメラが異なる長さのレンズを有する場合、カメラを、締結ねじによって１つの適したスロットに締結することができ、ユーザが、異なる長さを有するレンズの前端を、カメラバッグの支持フレームの前壁に正確に固定することができるようにすることである。
【００２７】
この実施形態では、図９に示されているように支持プレートには２つの平行なスロット２２５がある。
【００２８】
設置時に、カメラ３のレンズは、（図８に示されているように）固定手段５によって支持フレーム２の前面パネルに最初に固定され、次に、前面パネルに固定されているカメラを押して支持フレーム２に入れ、カメラを支持フレーム２の底壁（すなわち支持プレート２２ｅ）に位置付け、支持プレートにある１つのスロット２２５が、カメラの底部のねじ穴３２の下に配置される。締結ねじ４を、スロットの入口２２５ａから挿入し、スロット内でカメラの底部のねじ穴３２の下に移動させる。次に、カメラを支持プレートに固定するように、図１２に示されているように締め付けられるまで、ねじ４をねじ穴３２と係合させる。その間、支持プレート２２ｅに接続される前面パネル２２ａは、支持フレームの２つの側壁２２ｃ及び２２ｄに隣接する。
【００２９】
図９〜図１２を参照すると、支持フレームの各側壁２２ｃ、２２ｄ及び後壁２２ｂにはそれぞれ窓が設けられている。後壁２２ｂの窓は、カメラディスプレイの位置及びサイズに実質的に対応する。一方の側壁（右側の側壁２２ｃ）の窓は、カメラのシャッタレリーズのプラグインタフェース６の位置に対応し、この窓のサイズは、ユーザの指を窓に入れてカメラの上部にあるボタンを操作することを可能にするほど十分に大きい。他方の側壁（左側の側壁２２ｄ）の位置及びサイズは、ユーザが自身の指を窓に入れ、レンズのズームリングを操作することを可能にする。代替的には、支持フレームの左右の側及び後側には、壁又はパネルを設けることはできず、すなわち、双方の側面及び後側はそれぞれ空のフレーム（図示せず）であるものとすることができる。
【００３０】
支持フレームの底部２４は、カメラの付属品又は物を収納するのに用いられるキャビティを含む。キャビティの内部には小個室（図示せず）を設けることができる。小個室の数、サイズ及び位置は様々な必要性に従って設定することができる。
【００３１】
支持フレーム２の上側部分２２は、上側部分の底壁２２ｅ（支持プレート）によって底部２４と隔てられる。
【００３２】
代替として、カメラバッグを、異なる長さのカメラレンズ、及び、レンズの長さを変えるズームレンズに好適なものにするために、図１３に示されているように、支持フレームの前面パネルの代わりに、後退可能なレンズ固定フレームを用いることができる。図示のような後退可能なレンズ固定フレームは、フレーム７２、レンズ固定手段を備え付けるのに用いられるパネル７４、並びに、フレーム及びパネルを接続する接続部材７６によって構成される後退可能なフレーム７を備える。パネル７４には、カメラのレンズの固定手段を備え付けるのに用いられるレンズ孔が設けられる。レンズ固定手段の構造及びレンズ孔の構造は上記の実施形態と同じである。接続部材７６は可撓性の折り曲げ可能な材料から作ることができる。それによって、パネル７４がフレームの位置から延びるか又は後退することができる。接続部材は、必要性に応じて、１回折り形状又は複数折り形状（オルガン型のような（図示せず））に設計される。後退可能なフレーム７は、カメラバッグの支持フレームの正面に着脱可能に接続される。接続方法及び構造は、上記の実施形態における前面パネル２２ａと同じであり、詳述しない。この後退可能なレンズ固定フレームは、異なる長さのレンズに用いることができ、ズームレンズの長さは使用時に変えられるため、ズームレンズにも用いることができる。
【００３３】
カメラバッグのシェル１の上面図、側面図、正面図及び後面図を順次示す図１４〜図１７を参照する。
【００３４】
図示のような実施形態では、カメラバッグのシェル１は、支持フレーム２の形状に一致し、支持フレームをぴったりと包むように設計されている。シェル１において、支持フレームの上側部分に対応する前面パネルの位置には、第１のカバー片１１を有する正面開口部が設けられる。正面開口部のサイズは、支持フレームの能動的な前壁のサイズに少なくとも等しいか又は僅かに大きく；第１のカバー片１１の底部はシェル１に接続固定され、第２のカバー片１１０を有する開口部が、レンズの位置及びサイズに対応して第１のカバー片１１に設けられ、第２のカバー片１１０の底部は第１のカバー片１１に接続固定される。同様に、シェル１には２つの開口部が設けられ、一方は第３のカバー片１２を有し、他方は第４のカバー片１３を有し、それぞれ、支持フレームの上側部分の２つの側壁にある窓に対応し、第５のカバー片１４を有する開口部が、支持フレームの上側部分の後壁に対応してシェル１に設けられる。第３のカバー片、第４のカバー片及び第５のカバー片の底部は全て、シェルに接続固定される。
【００３５】
支持フレームの双方の側面及び後側に壁又はパネルが設けられない場合、上記の目的で開口部（複数の場合もあり）を設定する必要はない。
【００３６】
加えて、カメラバッグのシェル１の上部は、第６のカバー片１５によって閉じることができる露出端である。第６のカバー片１５の一辺はシェルに接続固定される。第６のカバー片１５の、カメラの垂直なビューファインダに対応する位置には、第７のカバー片１５０を有する開口部が設けられる。第７のカバー片１５０の一辺は、第６のカバー片１５に接続固定される。シェル１の後側の、支持フレームの底部２４のキャビティに対応する位置には、第８のカバー片１６を有する開口部が設けられる。第８のカバー片１６の一辺又は底部は、シェルに接続固定される。
【００３７】
上記の実施形態では、全てのカバー片は、相対的な開口部を遮断するか又は閉じるようにジッパによって閉じる方法を用いる。当然ながら、限定はされないが貼着性バックル（スナップボタン）及びボタン等のような他の閉じる方法を用いることができる。
【００３８】
選択肢として、ユーザが操作するのに便利な、シェル上のカバー片の締結部をめくるのに用いられる貼着性バックル（Ｖｅｌｃｒｏ（登録商標））を、カバー片及びシェルの幾つかの適切な位置に設定することができる。図１５に示されているように、第４のカバー片１３の表面の適切な位置に、貼着性バックルの雄側（又は母側）ａを設定し；シェル１の同じ側の対応する位置には、貼着性バックルの母側（又は雄側）ａ'を設定し、第４のカバー片１３の雄側（又は母側）を、裏返すときにシェルの母側（又は雄側）と組み合わせる。図１６に示されているように、レンズを覆う第２のカバー片１１０の表面、及び、シェルの正面の適切な位置に、貼着性バックルｂ、ｂ'が設けられる。同様に、必要性に従って、貼着性バックルを他のカバー片及びシェルの対応する位置に備え付けることもでき、シッパを開いてひっくり返した後で、カバーを、貼着性バックルの対応する位置においてシェルと組み合わせ、シェルに締結することを可能にする。図１８〜図２０は、ここでは詳述しない貼着性バックル又は他の着脱可能な締結方法によって一緒に接合される幾つかのカバー片及びシェルの状態の図を示している。
【００３９】
簡便に使用するために、カメラバッグにストラップを設定する。図２１〜図２４に示されているように、カメラバッグの後面の中央にストラップ８が備え付けられる。カメラバッグは、ショルダーバック及びバックバッグであるものとすることができ、またメッセンジャーバッグであってもよい。カメラを使用するときに、ユーザは、自身の頭の下で、カメラバッグを、垂直なビューファインダを通して視野を見つけることができる高さに調整することができる。ユーザは、片手のみを用いてストラップを保持し、カメラバッグを適切な高さに保ち、本発明の上記構造によってシャッタレリーズを用いることによって撮影することができ、カメラを取り出す必要はない。
【００４０】
図２５〜図２７は、本発明の別の実施形態を示している。この実施形態では、カメラバッグは、カメラの収納及び締結に用いられるシェル装置９を含む。シェル装置の前部は、レンズ孔、及び、レンズを固定するのに用いられる固定手段９２を有する。固定手段の構造は、上記の実施形態と同じであり、ここでは詳述しない。シェル装置の後部には開口部９４が設けられ、この開口部の位置及びサイズはレンズ画面に概ね対応する。右側壁に、シャッタレリーズプラグインタフェースの位置に対応して、開口部９６が設けられる。上記のこれらの開口部は全てカバー片によって閉じられる。各カバー片の下側はシェル装置に接続固定される。閉じる方法は、ジッパ若しくはバックルによって実現することができ、図示されているのはジッパによって閉じる方法である。
【００４１】
シェル装置９の上部は露出端であり、カバー片９８によって閉じることができる。カバー片９８の一辺は、シェル装置の上部の前縁付近に固定される。他の辺は、図２７に示されているようにジッパによってシェル装置と組み合わせられる。２つの開口部９８２及び９８４がカバー片９８に設けられ、開口部９８２の位置は垂直なビューファインダの位置に対応し、開口部９８４の位置は、カメラの右上の角にあるボタンの位置に対応する。各開口部はジッパを有するカバー片によって閉じることができる。各カバー片の前側はシェル装置に接続固定される。選択肢として、カバー片９８には１つのみの開口部が設けられ（図示せず）、開口部の位置及びサイズは、垂直なビューファインダ、及び、カメラの右上の角にあるボタンの位置に対応する。この開口部もジッパを有するカバー片によって閉じられる。
【００４２】
シェル装置９の底部には、カメラを固定する硬質の支持プレート９３が備え付けられる。少なくとも１つのスロットが支持プレート９３に設けられる。スロットの一端には、締結ねじを挿入することを可能にする入口が備え付けられる。
【００４３】
好ましくは、２つの平行なスロットを支持プレートに設けることができる。その目的は：異なる長さを有するレンズを使用するときに、カメラを締結ねじによって適したスロットに取り付けることができ、レンズの正面をカメラバッグの前壁に正確に固定することを可能にすることである。
【００４４】
選択肢として、図２５〜図２７に示されている実施形態では、カメラを固定するのに用いられる支持プレート９３は、シェル装置と１つとして成形することができ、シェル装置９の底部の内面に分離された部分として備え付けることもできる。支持プレート９３及びシェル装置９が１つとして成形される場合、シェル装置の底部の支持プレートの材料は可能な限り硬質であるべきである。それによって、変形することなくカメラをしっかりと支持する。支持プレートが分離された部分としてシェル装置の底部の内面に備え付けられる場合、シェル装置の底部にも、支持プレートのスロット（複数の場合もあり）に対応してスロット（複数の場合もあり）が設けられる。それによって、締結ねじをシェル装置の底部から支持プレートのスロットに挿入し、次に、カメラを固定することを可能にする（図示せず）。この場合、特定の高さを有する足パッドを、シェル装置の底部の外面の各角部に備え付け（図示せず）、カメラをカメラバッグの底部に固定するのに用いられる締結ねじが、外側に露出することに起因してカメラバッグのバランスに影響を与えることを防止することができる。
【００４５】
スロット（複数の場合もあり）の構造は、上記の実施形態とほぼ同じであるため、図面には示さない。
【００４６】
この実施形態では、１つのストラップ１０があり、ストラップの両端は、カメラバッグの両側に固定される。ユーザはカメラバッグを背負うか又は肩に掛けることができる。
【００４７】
上記の全ての実施形態において、各窓、開口部及びそのカバー片は、ジッパ以外の任意の他の適した方法を用いて接合することができる。例えば限定はされないが：スナップ締結具、ボタン等である。カメラバッグのシェル又はシェル装置は、布、革又は任意の他の適した材料から作ることができる。カメラバッグの外見は、ショルダーバッグ又はメッセンジャーバッグの一般的な形状にデザインすることができる。
【００４８】
なお、当業者は、本発明において、上記事項の概念から逸脱することなく、本発明の保護範囲に入る幾つかの変形及び変更を行うこともできることを留意されたい。したがって、本発明の特許の保護範囲は、添付の特許請求の範囲に依存するべきである。
【図２】
2015180274.tif 000003
【図３】
2015180274.tif 000004
【図６】
2015180274.tif 000005
【図７】
2015180274.tif 000006
【図８】
2015180274.tif 000007
【図９】
2015180274.tif 000008
【図１０】
2015180274.tif 000009
【図１１】
2015180274.tif 000010
【図１２】
2015180274.tif 000011
【図１３】
2015180274.tif 000012
【図１４】
2015180274.tif 000013
【図１５】
2015180274.tif 000014
【図１６】
2015180274.tif 000015
【図１７】
2015180274.tif 000016
【図１８】
2015180274.tif 000017
【図１９】
2015180274.tif 000018
【図２０】
2015180274.tif 000019
【図２１】
2015180274.tif 000020
【図２２】
2015180274.tif 000021
【図２３】
2015180274.tif 000022
【図２４】
2015180274.tif 000023
【図２５】
2015180274.tif 000024
【図２６】
2015180274.tif 000025
【図２７】
2015180274.tif 000026
【図１】
2015180274.tif 000027
【図４】
2015180274.tif 000028
【図５】
2015180274.tif 000029